(57)【特許請求の範囲】
【請求項１】
上方が開口した平面視長方形状をした運搬用容器の上開口部の外周部にフランジ部を形成し、長辺側の両側壁部の外面部の各両端部付近の下部にそれぞれ側壁部の外面より突出した支持脚を設け、長辺側のフランジ部にこれと対向する側壁部に点対称に形成された支持脚をはめ込むことのできる上方及び内方に開口したポケット部を形成し、２つの運搬用容器を同一向きで積み上げた状態では下段の運搬用容器のフランジ部上に支持脚の下端部が載置され、下段の運搬用容器に対して平面視１８０°回転して上段の運搬用容器を重ねた状態では下段の運搬用容器のポケット部に上段の運搬用容器の支持脚が没入されるように構成されたものにおいて、運搬用容器の長辺側の側壁部の外面部に設けた支持脚の下面部の外側端部に下方に向けて下向き突部を突設すると共に下向き突部の内側面部の長辺と平行な方向の中間部分が最も側壁部側に突出するように下向き突部の内側面部の長辺と平行な方向の両端部側程側壁部から離れるように傾斜した平面視略弧状又は略へ字状又は略台形状をしたガイド部を設け、支持脚の下面の突出基部側の長辺と平行な方向の両端部にガイド部の長辺と平行な方向の両端部と対向するがたつき防止用突部を突設し、運搬用容器の長辺側のフランジ部に長辺に沿ってレール溝を形成し、２つの運搬用容器を同一向きで積み上げて上段の運搬用容器の支持脚の下端部を下段の運搬用容器のフランジ部に載置する際に下段の運搬用容器のフランジ部のレール溝に上段の運搬用容器のガイド部を設けた下向き突部をスライド自在に嵌め込むと共に、下段の運搬用容器の側壁部の内面の上端に上段の運搬用容器のがたつき防止用突部を近接対向させて成ることを特徴とする運搬用容器。
【発明の詳細な説明】
【０００１】
【発明の属する技術分野】
本発明は、運搬用容器、詳しくは、複数の運搬用容器を積み上げ又は重ねるに当たって、内容物を収納した状態では背を高くして積み上げるスタッキング及び内容物を収納していない状態では背を低くして重ねるネスティングができる運搬用容器に関するものである。
【０００２】
【従来の技術】
従来から複数の運搬用容器を積み重ねるに当たって、内容物を収納した状態では背を高くして積み上げるスタッキング、内容物を収納していない状態では背を低くして重ねるネスティングができる運搬用容器が実開平６ー８０６３６号公報により知られている。
【０００３】
この運搬用容器は、図１６に示すように上方が開口した平面視長方形状をしており、この運搬用容器１の上開口部の外周部にはフランジ部２が形成してある。運搬用容器１の長辺側の両側壁部の外面部の各両端部付近の下部にはそれぞれ側壁部の外面より突出した支持脚４が設けてある。一方、長辺側のフランジ部２にはこれと対向する側壁部に点対称に形成された支持脚４をはめ込むことのできるポケット部５が形成してある。そして、２つの運搬用容器１を同一向きで積み上げた状態では下段の運搬用容器１のフランジ部２上に支持脚４の下端部が載置され、下段の運搬用容器１に対して平面視１８０°回転して上段の運搬用容器１を重ねた状態では下段の運搬用容器１のポケット部５に上段の運搬用容器１の支持脚４が没入されるように構成されたものである。
【０００４】
上記のような構成の運搬用容器１は内容物を入れない空の状態で多段に積み重ねるには（つまりネスティング状態にするには）、上記のように下段の運搬用容器１に対して上段の運搬用容器１を平面視で１８０°回転して重ねることで下段の運搬用容器１のポケット部５に上段の運搬用容器１の支持脚４を没入させて背を低くして多段に重ねるものである。
【０００５】
一方運搬用容器１に内容物を入れて上下に多段に積み上げる場合には、上記のように下段の運搬用容器１のフランジ部２上に支持脚４の下端部が載置されて背を高くしてスタッキング状態に積み上げるのである。
【０００６】
ところが、スタッキングするに当たっては、上段の運搬用容器１の支持脚４を下段の運搬用容器１のフランジ部２上に乗せてスライドさせることで行うのであるが、この時、支持脚４の下面部に下方に向けて突設した下向き突部８を運搬用容器１の長辺側のフランジ部２に長辺に沿って形成したレール溝７にはめ込んだ状態でスライドさせてスタッキングするものである。
【０００７】
上記のような上端が開口した合成樹脂製の運搬用容器１は、上開口の長辺側の中央側が外に広がるように変形する傾向にある。したがって長辺側のフランジ部２に長辺に沿って形成したレール溝７も長辺側の中央部が外側にずれるように平面視略弧状に変形する傾向にある。
【０００８】
このため、上記の従来例においては、スタッキングを行う際に、上段の運搬用容器１の支持脚４の下面部に下方に向けて突設した下向き突部８を、下段の運搬用容器１の長辺側のフランジ部２に設けたレール溝７の長手方向の端部に嵌め込んでスライドしていくと、レール溝７の中央部が外側に向けてずれるように変形しているため、途中でレール溝７の内壁面につかえてスライドし難くなったり、スライドができなくなったりするおそれがある。
【０００９】
【発明が解決しようとする課題】
本発明は上記の従来例の問題点に鑑みて発明したものであって、スタッキング積みを行うに当たって、下段の運搬用容器のレール溝の中央部が外側にずれるように変形していても、スムーズに上段の運搬用容器を下段の運搬用容器に対してスライドさせてスタッキング操作ができる運搬用容器を提供することを課題とするものである。
【００１０】
【課題を解決するための手段】
上記従来例の問題点を解決して本発明の目的を達成するため、本発明の運搬用容器は、上方が開口した平面視長方形状をした運搬用容器１の上開口部の外周部にフランジ部２を形成し、長辺側の両側壁部３の外面部の各両端部付近の下部にそれぞれ側壁部３の外面より突出した支持脚４を設け、長辺側のフランジ部２にこれと対向する側壁部３に点対称に形成された支持脚４をはめ込むことのできるポケット部５を形成し、２つの運搬用容器１を同一向きで積み上げた状態では下段の運搬用容器１のフランジ部２上に支持脚４の下端部が載置され、下段の運搬用容器１に対して平面視１８０°回転して上段の運搬用容器１を重ねた状態では下段の運搬用容器１のポケット部５に上段の運搬用容器１の支持脚４が没入されるように構成されたものにおいて、運搬用容器１の長辺側の側壁部３の外面部に設けた支持脚４の下面部の外側端部に下方に向けて下向き突部８を突設すると共に下向き突部８の内側面部の長辺と平行な方向の中間部分が最も側壁部側に突出するように下向き突部の内側面部の長辺と平行な方向の両端部側程側壁部３から離れるように傾斜した平面視略へ字状又は略台形状又は略弧状をしたガイド部６を設け、支持脚４の下面の突出基部側の長辺と平行な方向の両端部にガイド部６の長辺と平行な方向の両端部と対向するがたつき防止用突部３０を突設し、運搬用容器１の長辺側のフランジ部２に長辺に沿ってレール溝７を形成し、２つの運搬用容器１を同一向きで積み上げて上段の運搬用容器１の支持脚４の下端部を下段の運搬用容器１のフランジ部２に載置する際に下段の運搬用容器１のフランジ部２のレール溝７に上段の運搬用容器１のガイド部６を設けた下向き突部８をスライド自在に嵌め込むと共に、下段の運搬用容器１の側壁部３の内面の上端に上段の運搬用容器１のがたつき防止用突部３０を近接対向させて成ることを特徴とするものである。
【００１１】
このような構成とすることで、スタッキング積みを行うに当たって、上段の運搬用容器１の支持脚４の下面部に下方に向けて突設した下向き突部８を、下段の運搬用容器１の長辺側のフランジ部２に設けたレール溝７の長手方向の端部に嵌め込んでスライドしてスタッキング積みを行うのであるが、この際、レール溝７の中央部が外側に向けてずれるように変形していても、下向き突部８の内側面部に設けた中間部分が最も側壁部側に突出する平面視略弧状又は略へ字状又は略台形状をしたガイド部６の傾斜面６ａがレール溝７の外側に向けてずれるように変形した内壁面に当たって該レール溝７の内壁面を内側に押すようにしながらスライドしていくことができて、上段の運搬用容器１を下段の運搬用容器１に対してスムーズにスライドさせてスタッキング操作ができるものであり、また、下段の運搬用容器１の側壁部３の内面の上端に上段の運搬用容器１のがたつき防止用突部３０を近接対向させてあるので、スライド時及びスタッキング積み状態時において上の運搬用容器１が下の運搬用容器１に対してがたつくのを防止できる。
【００１２】
【発明の実施の形態】
以下本発明を添付図面に示す実施形態に基づいて詳述する。
【００１３】
図１、図２、図３、図４、図５、図６にそれぞれ本発明の全体を示す平面図、正面図、背面図、右側面図、左側面図、底面図を示している。運搬用容器１は上方が開口していて上開口部の開口縁に外側方に向けてフランジ２が形成してある。
【００１４】
運搬用容器１の長辺側の側壁部３のうち一方の長辺側の側壁部３ａの外面部の両側付近の下部にはそれぞれ支持脚４が突出して形成されている。ここで、両側の支持脚４のうち一方の支持脚４ａは他方の支持脚４ｂよりも幅が狭くなっている。
【００１５】
また、長辺側の他方の側壁部３ｂの上部には平面視で運搬用容器１の中心点Ｏ（図１、図６に示す）を中心として支持脚４ａ、４ｂと点対象の位置にそれぞれ支持脚４ａ、４ｂが嵌入することのできる上方及び内方に開口したポケット部５（支持脚４ａを嵌入することができるポケット部５ａと支持脚４ｂを嵌入することができるポケット部５ｂ）が各々形成してある。
【００１６】
同様に、長辺側の他方の側壁部３ｂの両側付近の下部にはそれぞれ支持脚４ａ、４ｂが形成してあり、また、長辺側の一方の側壁部３ａの上部には該支持脚４ａ、４ｂが嵌入することのできるポケット部５ａ、５ｂが運搬用容器１の中心点Ｏを中心として支持脚４ａ、４ｂと点対象の位置に各々形成してある。
【００１７】
また、短辺側の側壁部３のうち一方の短辺側の側壁部３ｃの外面部の両側付近の下部にはそれぞれ支持脚４ｃ、４ｃが突出して形成されている。
【００１８】
また、短辺側の他方の側壁部３ｄの上部には平面視で運搬用容器１の中心点Ｏを中心として支持脚４ｃ、４ｃと点対象の位置にそれぞれ支持脚４ｃ、４ｃが嵌入することのできるポケット部５ｃ、５ｃが各々形成してある。
【００１９】
同様に、短辺側の他方の側壁部３ｄの両側付近の下部にはそれぞれ支持脚４ｄ、４ｄが形成してあり、また、短辺側の一方の側壁３ａの上部には該支持脚４ｄ、４ｄが嵌入することのできるポケット部５ｄ、５ｄが平面視で運搬用容器１の中心点Ｏを中心として点対象の位置に各々形成してある。
【００２０】
ここで、支持脚４ｃ、４ｃ間の距離は支持脚４ｄ、４ｄ間の距離と異なる距離に設定してある。
【００２１】
なお、上記各ポケット部５（５ａ、５ｂ、５ｃ、５ｄ）はいずれも上方においてはフランジ部２に開口している。
【００２２】
フランジ部２の４隅部分の外側にずれた位置に平面視Ｌ字状をした突出する隅突部５５が突設してある。
【００２３】
また、図１、図７、図８に示すように、長辺側のフランジ部２に長辺に沿ってレール溝７を形成してある。
【００２４】
運搬用容器１の長辺側の側壁部３の外面部に設けた支持脚４の下面部の外側端部には下方に向けて下向き突部８を突設してあり、この下向き突部８の内側面部には図９に示すように長辺と平行な方向の中間部分が最も側壁部３側に突出し且つ下向き突部８の内側面部の長辺と平行な方向の両端部側程側壁部３から離れるように傾斜した平面視略へ字状又は略台形状又は略弧状をしたガイド部６が設けてある。つまり、ガイド部６は長辺と平行な方向の両端部が傾斜面６ａとなっている。
【００２５】
上記のような構成の運搬用容器１は合成樹脂により一体に形成してあり、この運搬用容器１は例えば下段の運搬用容器１の上に上段の運搬用容器１の底部をスライドさせて図１２、図１３のように背を高くして積み上げる（いわゆるスタッキングという）ことができるものであり、また、上段の運搬用容器１を平面視で１８０°回転した状態で下段の運搬用容器１の上をスライドさせると、上段の運搬用容器１の支持脚４ａ、４ｂ、４ａ、４ｂ及び支持脚４ｃ、４ｃ、４ｄ、４ｄをそれぞれ下段の運搬用容器１のポケット部５ａ、５ｂ、５ａ、５ｂ及びポケット部５ｃ、５ｃ、５ｄ、５ｄに嵌め込んで図１４、図１５に示すように背を低くして積み重ね（いわゆるネスティングという）て嵩張らないようにするのである。
【００２６】
ここで、本発明にあっては、スタッキング積みを行う際に、図１０に示すように、上段の運搬用容器１の支持脚４の下面部に下方に向けて突設した下向き突部８を、下段の運搬用容器１の長辺側のフランジ部２に設けたレール溝７の長手方向の端部に嵌め込んでスライドしてスタッキング積みを行うのであり、これにより上段の運搬用容器１が下段の運搬用容器１からずり落ちないようにしてスタッキング積みできるものである。
【００２７】
ここで、合成樹脂製の運搬用容器１は上開口の長辺側の中央部が外側に広がるように変形する傾向にあって、図１１において一点鎖線の正常な状態から実線で示すように矢印方向にレール溝７の中央部が外側に向けてずれるように変形して、平面視弧状に変形するおそれがあるが、このようにレール溝７の中央部が外側に向けてずれるように変形していても、下向き突部８の内側面部に設けた平面視略へ字状又は略台形状又は略弧状をしたガイド部６の傾斜面６ａがレール溝７の外側に向けてずれるように変形した内壁面に当たって該レール溝７の内壁面を内側に押すようにしながらスライドしていくことができて、上段の運搬用容器１を下段の運搬用容器１に対してスムーズにスライドさせてスタッキング操作ができるものである。
【００２８】
なお、支持脚４の下面の突出基部側にはがたつき防止用突部３０が突設してあり、このがたつき防止用突部３０はスタッキング積み時に側壁部３の内面の上端に近接対向しており、上記スライド時及びスタッキング積み状態時において上の運搬用容器１が下の運搬用容器１に対してがたつくのを防止している。
【００２９】
【発明の効果】
本発明にあっては、上記のように、ネスティング積み、スタッキング積みが選択してできるようにした運搬用容器において、運搬用容器の長辺側の側壁部の外面部に設けた支持脚の下面部の外側端部に下方に向けて下向き突部を突設すると共に下向き突部の内側面部の長辺と平行な方向の中間部分が最も側壁部側に突出するように下向き突部の内側面部の長辺と平行な方向の両端部側程側壁部から離れるように傾斜した平面視略弧状又は略へ字状又は略台形状をしたガイド部を設け、支持脚の下面の突出基部側の長辺と平行な方向の両端部にガイド部の長辺と平行な方向の両端部と対向するがたつき防止用突部を突設し、運搬用容器の長辺側のフランジ部に長辺に沿ってレール溝を形成し、２つの運搬用容器を同一向きで積み上げて上段の運搬用容器の支持脚の下端部を下段の運搬用容器のフランジ部に載置する際に下段の運搬用容器のフランジ部のレール溝に上段の運搬用容器のガイド部を設けた下向き突部をスライド自在に嵌め込むと共に、下段の運搬用容器の側壁部の内面の上端に上段の運搬用容器のがたつき防止用突部を近接対向させてあるので、複数の運搬用容器を積み上げ又は重ねるに当たって、内容物を収納した状態では背を高くして積み上げるスタッキング及び内容物を収納していない状態では背を低くして重ねるネスティングができるのは勿論のこと、このように、スタッキング及びネスティングができる運搬用容器において、スタッキング積みを行うに当たって、下段の運搬用容器のレール溝の中央部が外側にずれるように変形していても、下向き突部の内側面部に設けた中間部分が最も側壁部側に突出する平面視略へ字状又は略台形状又は略弧状をしたガイド部の傾斜面がレール溝の外側に向けてずれるように変形した内壁面に当たって該レール溝の内壁面を内側に押すようにしながらスライドしていくことができて、上段の運搬用容器を下段の運搬用容器に対してスムーズにスライドさせてスタッキング操作ができるものであり、また、下段の運搬用容器の側壁部の内面の上端に上段の運搬用容器のがたつき防止用突部を近接対向させてあるので、スライド時及びスタッキング積み状態時において上の運搬用容器が下の運搬用容器に対してがたつくのを防止できる。
【図面の簡単な説明】
【図１】本発明の平面図である。
【図２】同上の正面図である。
【図３】同上の背面図である。
【図４】同上の右側面図である。
【図５】同上の左側面図である。
【図６】同上の底面図である。
【図７】同上のレール溝部分の拡大断面図である。
【図８】同上の長辺側のポケット部の拡大断面図である。
【図９】（ａ）（ｂ）（ｃ）は同上のガイド部を有する下向き突部部分のガイド部の各例を示す拡大底面図である。
【図１０】同上のスタッキング積みのためにガイド部を有する下向き突部をレール溝に入れた状態の断面図である。
【図１１】同上のレール溝が外側に向けて変形している状態でガイド部によりレール溝の内壁面を内側に向けて押しながらスライドのガイドをしている状態の断面図である。
【図１２】同上のスタッキング状態の正面図である。
【図１３】同上のスタッキング状態の断面図である。
【図１４】同上のネスティング状態の正面図である。
【図１５】同上のネスティング状態の断面図である。
【図１６】従来例を示す斜視図である。
【符号の説明】
１  運搬用容器
２  フランジ部
３  側壁部
４  支持脚
５  ポケット部
６  ガイド部
７  レール溝
８  下向き突部
【図１】
0004095335.tif 000002
【図２】
0004095335.tif 000003
【図３】
0004095335.tif 000004
【図４】
0004095335.tif 000005
【図５】
0004095335.tif 000006
【図６】
0004095335.tif 000007
【図７】
0004095335.tif 000008
【図８】
0004095335.tif 000009
【図９】
0004095335.tif 000010
【図１０】
0004095335.tif 000011
【図１１】
0004095335.tif 000012
【図１２】
0004095335.tif 000013
【図１３】
0004095335.tif 000014
【図１４】
0004095335.tif 000015
【図１５】
0004095335.tif 000016
【図１６】
0004095335.tif 000017